(57)【特許請求の範囲】
【請求項１】
一対の対向する基板を有する電気光学パネルの接続端子に接続される接続用配線基板であって、
第１の基材と、
前記電気光学パネルの接続端子に接続される第２の端子群と、前記第２の端子群より延設された配線と、前記配線の終端に導通した第３の端子群とを第１面に備えた第２の基材と、
を含み、
前記第１の基材は、前記配線を覆うように前記第２の基材に積層され、前記電気光学パネルの他の接続端子に接続される第１の端子群と、前記第１の端子群より延設された配線と、前記配線の終端に導通した第４の端子群と、を前記第１面に対向する面に備え、
前記第２の基材は、前記第１の基材の前記第４の端子群に接続される第５の端子群と、前記第５の端子群から前記第３の端子群に接続された配線と、を前記第１面に備えることを特徴とする電気光学パネルの接続用配線基板。
【発明の詳細な説明】
【０００１】
【発明の属する技術分野】
本発明は、電気光学パネルに接続される接続用配線基板に関する。
【０００２】
【背景技術】
従来からある電気光学パネルとして、たとえば、液晶パネルを挙げることができる。液晶パネルには、アクティブマトリクス方式の液晶パネルと、パッシブマトリクス方式の液晶パネルとがある。アクティブマトリクス方式の液晶パネルは、画素電極毎にスイッチング素子が設けられたものである。このスイッチング素子は、たとえば薄膜ダイオード（ＴＦＤ：Thin Film Diode）素子がある。パッシブマトリクス方式の液晶パネルは、スイッチング素子がないものである。
【０００３】
この液晶パネルは、一対の透明基板が互いに貼合されて構成される。そして、液晶パネルは、一方の透明基板の対向面において走査線が形成され、他方の透明基板の対向面においてデータ線が形成される。すなわち、走査線とデータ線とは別々の基板に形成されることになる。
【０００４】
このため、従来の液晶パネルにあっては、上側の透明基板には、下側から第１の接続用配線基板（たとえばＦＰＣ（Flexible Printed Circuit）基板）が接続される。一方、下側の透明基板には、上側から第２の接続用配線基板が接続される。そして、各接続用配線基板の端子群は、外部の制御回路に実装されたコネクタに挿入される。
【０００５】
ところで、従来から、液晶パネルの検査、調整、各種試験などのために、液晶パネルに接続用配線基板が接続された状態で、制御回路基板のコネクタから接続用配線基板の端子を抜く場合や、逆に、制御回路基板のコネクタに接続用配線基板基板の端子を挿入する場合がしばしば生じる。
【０００６】
しかしながら、接続用配線基板が以上の構成であると、次のような問題が生じる。
【０００７】
（１）コネクタが実装された制御回路基板には、接続用配線基板のためのコネクタが、２個必要となる。すなわち、第１の接続用配線基板および第２の接続用配線基板と、制御回路基板との接続のためのコネクタが、２個必要となる。このため、部品点数の増加を招く。
【０００８】
（２）２箇所のコネクタにおいて、接続用配線基板の端子群を着脱しなければならない。このため、液晶パネルの検査や、調整、各種試験などが煩雑となる。
【０００９】
【発明が解決しようとする課題】
本発明の目的は、たとえば電気光学パネルを駆動するための部材に、一括して接続することができる、電気光学パネルの接続用配線基板を提供することにある。
【００１２】
【課題を解決するための手段】
（電気光学パネルの接続用配線基板）
本発明の電気光学パネルの接続用配線基板は、一対の対向する基板を有する電気光学パネルの接続端子に接続される接続用配線基板であって、
第１の基材と、
前記電気光学パネルの接続端子に接続される第２の端子群と、前記第２の端子群より延設された配線と、前記配線の終端に導通した第３の端子群とを第１面に備えた第２の基材と、
を含み、
前記第１の基材は、前記配線を覆うように前記第２の基材に積層され、前記電気光学パネルの他の接続端子に接続される第１の端子群と、前記第１の端子群より延設された配線と、前記配線の終端に導通した第４の端子群と、を前記第１面に対向する面に備え、
前記第２の基材は、前記第１の基材の前記第４の端子群に接続される第５の端子群と、前記第５の端子群から前記第３の端子群に接続された配線と、を前記第１面に備えることを特徴とする。
【００１３】
本発明の電気光学パネルの接続用配線基板においては、第３の端子群は、少なくとも、第１の端子群に導通する端子と、第２の端子群に導通する端子とを含む。このため、本発明によれば、たとえば、第１の端子群および第２の端子群と、電気光学パネルを駆動するための部材（たとえば制御回路基板）との導通を、第３の端子群で一括して図ることができる。
【００１４】
本発明の電気光学パネルの接続用配線基板は、以下の態様（ａ）〜（ｊ）のうち、少なくともいずれかの態様であることが好ましい。
【００１５】
（ａ）電気光学パネルの接続用配線基板は、少なくとも一部において、前記第１の基材と、前記配線と、前記第２の基材とを含む、積層構造を有している態様である。この積層構造が構成されている部分において、一方の基材は、他の基材に形成された配線の保護層として機能することができる。
【００１６】
（ｂ）前記第１の端子群の接続面と、前記第２の端子群の接続面とは、互いに逆側を向いていることが好ましい。これによれば、たとえば、電気光学パネルの各基板の対向面に、第１の端子群および第２の端子群をそれぞれ接続するのが、容易になる。
【００１７】
（ｃ）前記第１の端子群は、前記第２の基材が存在しないことにより露出されていることが好ましい。第１の端子群が露出していることにより、電気光学パネルと第１の端子群との接続が、より容易になる。
【００１８】
（ｄ）前記第２の端子群は、前記第１の基材が存在しないことにより露出されていることが好ましい。第２の端子群が露出していることにより、電気光学パネルと第２の端子群との接続が、より容易になる。
【００１９】
（ｅ）前記第１の基材は、可撓性絶縁フィルムからなることが好ましい。これにより、電気光学パネルの接続用配線基板を電気光学パネルに接続する際、その接続用配線基板をフレキシブルに変形させることができる。このため、電気光学パネルの接続用配線基板を電気光学パネルに接続するのが、より容易になる。
【００２０】
（ｆ）前記第２の基材は、可撓性絶縁フィルムからなることが好ましい。これにより、電気光学パネルの接続用配線基板を電気光学パネルに接続する際、電気光学パネルの接続用配線基板をフレキシブルに変形させることができる。このため、電気光学パネルの接続用配線基板を電気光学パネルに接続するのが、より容易になる。
【００２１】
（ｇ）前記配線は、銅、銅合金（青銅、黄銅、ベリリウム銅など）、アルミニウム、アルミニウム合金、金、銀のいずれかを主体とする材質からなることができる。
【００２２】
（ｈ）また、本発明の電気光学パネルの接続用配線基板は、次のいずれかの態様をとることができる。
【００２３】
▲１▼前記第１の端子群における配線と、前記第２の端子群における配線とは、同一層である態様である。この態様の場合、第１の端子群と第２の端子群とを、同一のパターニング工程で形成することができる。
【００２４】
▲２▼前記第１の基材は、さらに、前記第１の端子群と導通する、第４の端子群が設けられ、
前記第２の基材は、さらに、前記第３の端子群と導通する、第５の端子群が設けられ、
前記第５の端子群は、前記第４の端子群に導通する態様である。
【００２５】
この態様の場合には、第４の端子群と第５の端子群とが導通するように、配線が形成された第１の基材と、配線が形成された第２の基材とを接続することにより、電気光学パネルの接続用配線基板を製造することができる。このため、簡便に電気光学パネルの接続用配線基板を製造することができる。
【００２６】
（ｉ）さらに、前記第３の端子群と導通する、第６の端子群を有する態様である。この態様の場合には、たとえば、第１の端子群または第２の端子群と、第６の端子群とで、電気光学パネルに信号（たとえば走査信号，データ信号）を入力することができる。
【００２７】
（ｊ）前記第１の基材の形状と、前記第２の基材の形状とは、前記各端子群以外、略同形であることが好ましい。これによれば、一方の基材が、他方の基材における、各端子群以外の配線の保護層として機能することができる。
【００２９】
本発明の電気光学装置は、本発明の電気光学パネルの接続用配線基板を有する。このため、電気光学パネルの接続用配線基板と、電気光学パネルを駆動するための部材（たとえば制御回路基板）との接続を、第３の端子群で一括して行うことができる。したがって、電気光学パネルの接続用配線基板と、電気光学パネルを駆動するための部材との、着脱を容易に行うことができる。また、電気光学装置を、簡便かつ高い歩留まりで、製造することができる。
【００３０】
本発明の電気光学装置は、以下の態様（ａ）〜（ｄ）のうち、少なくともいずれかの態様であることが好ましい。
【００３１】
（ａ）前記第１の端子群と前記第１の接続端子領域との接続、および、前記第２の端子群と前記第２の接続端子領域との接続の少なくとも一方は、異方性導電接着剤によりなされていることが好ましい。これにより、上記の接続工程の簡便化を図ることができる。
【００３２】
（ｂ）前記電気光学装置は、液晶装置として使用されることが好ましい。電気光学装置が液晶装置として使用される場合には、電気光学装置の機能をより有効に発揮することができる。電気光学装置が液晶表示装置として使用される場合には、さらに有効に電気光学装置の機能を発揮することができる。
【００３３】
（ｃ）前記第１の端子群には、データ線が設けられ、前記第２の端子群には、走査線が設けられている態様である。この態様の場合には、第１の端子群からデータ信号を入力でき、第２の端子群から走査信号を入力することができる。
【００３４】
（ｄ）前記第１の接続端子領域および前記第２の接続端子領域の少なくとも一方に、半導体装置を搭載することができる。前記半導体装置は、たとえば、ドライバＩＣを挙げることができる。
【００３５】
（電子機器）
本発明の電子機器は、上述した本発明による電気光学装置を含む。これにより、本発明による電気光学装置の利点から、たとえば、電子機器の利便性が向上する。また、簡便かつ高い歩留まりで、電子機器を製造することができる。
【００３６】
以下、本発明の“電気光学パネルの接続用配線基板”を、「接続用配線基板」という。
【００３７】
【発明の実施の形態】
以下、本発明の実施の形態について図面を参照して説明する。
【００３８】
｛第１の実施の形態｝
［電気光学装置］
まず、第１の実施の形態に係る電気光学装置ついて説明する。第１の実施の形態に係る電気光学装置は、アクティブマトリクス駆動方式の液晶表示装置に適用された例を示す。図１は、液晶表示装置の全体構成を示す平面図である。図２は、図１におけるＡ−Ａ線に沿った断面を模式的に示す断面図である。
【００３９】
液晶表示装置１０は、液晶パネル（電気光学パネル）１００と、制御回路基板６００と、フレキシブル配線基板（接続用配線基板）４００と、を有する。
【００４０】
（液晶パネル）
以下、液晶パネル１００を説明する。
【００４１】
＜平面構造＞
まず、液晶パネル１００の平面構造について説明する。
【００４２】
液晶パネル１００は、画素電極のスイッチング素子としてＴＦＤ素子を用いたアクティブマトリクス方式のパネルである。この液晶パネル１００は、第１の基板（素子基板）２００と第２の基板（対向基板）３００とを有する。第１の基板２００と第２の基板３００とは、後述の電極が形成された面を対向させた状態で、貼り合せられている。
【００４３】
第１の基板２００および第２の基板３００は、互いに突出した部分２１０，３１０を有する。第１の基板２００（図１において奥側）は、その下側部分が第２の基板３００（図１において手前側）より突出し、第２の基板に対して重ならない突出部２１０を有する。第２の基板３００は、その左側部分が第１の基板２００より突出し、第１の基板に対して重ならない突出部３１０を有する。第１の基板２００の突出部２１０において、第１の接続端子領域２０２が、第１の基板２００の表側（第２の基板と対向する側）に形成されている。第２の基板３００の突出部３１０において、第２の接続端子領域３０２が、第２の基板３００の裏側（第１の基板と対向する側）に形成されている。
【００４４】
第１の接続端子領域２０２において、第１のベアチップ（データ線を駆動する機能を有する半導体装置、ドライバＩＣ）２５０が、所定の位置に実装されている。第１のベアチップ２５０は、各データ線２１２にそれぞれデータ信号を供給するものである。第１のベアチップ２５０は、たとえば、ＣＯＧ（Chip On Glass）技術により実装される。
【００４５】
第２の接続端子領域３０２においては、第２のベアチップ（走査線を駆動する機能を有する半導体装置、ドライバＩＣ）３５０が、所定の位置に実装されている。第２のベアチップ３５０は、各走査線３１２にそれぞれ走査信号を供給するものである。第２のベアチップ３５０は、たとえば、ＣＯＧ技術により実装されている。
【００４６】
＜断面構造＞
以下、図２を参照して、液晶表示パネル１００の断面構造を説明する。
【００４７】
第１のベアチップ２５０は、入力端子２５０ａと出力端子２５０ｂとを有する。入力端子２５０ａは、第１の接続端子領域２０２と電気的に接続されている。出力端子２５０ｂは、各データ線２１２と電気的に接続されている。入力端子２５０ａと第１の接続端子領域２０２との接続と、出力端子２５０ｂと各データ線２１２との接続とは、異方性導電接着材５００により行うことができる。つまり、異方性導電接着材５００中に適切な割合で分散させた導電性粒子５００ａを介して、入力端子２５０ａと第１の接続端子領域２０２とが電気的に接続され、また、出力端子２５０ｂと各データ線２１２とが電気的に接続され得る。
【００４８】
第２のベアチップ３５０は、入力端子３５０ａと出力端子３５０ｂとを有する。入力端子３５０ａは、第２の接続端子領域３０２と電気的に接続されている。出力端子３５０ｂは、各走査線３１２に電気的に接続されている。入力端子３５０ａと、第２の接続端子領域３０２との接続は、第１のベアチップ２５０と同様に行うことができる。また、出力端子３５０ｂと各走査線３１２との接続も、第１のベアチップ２５０と同様に行うことができる。
【００４９】
＜内部構成＞
以下、液晶パネル１００の内部構成について説明する。図３は、液晶パネルの一部を模式的に示す部分破断斜視図である。
【００５０】
第１の基板２００のうち、第２の基板３００との対向面には、マトリクス状に配置された複数の画素電極２３４と、列方向に延在するデータ線（信号線）２１２とがそれぞれ形成されている。そして、１列分の画素電極２３４の各々が、１本のデータ線２１２にそれぞれＴＦＤ素子２２０を介して共通接続されている。ＴＦＤ素子２２０は、基板側からみると、第１金属膜２２２と、この第１金属膜２２２を陽極酸化した酸化膜２２４と、第２金属膜２２６とから構成されている。すなわち、ＴＦＤ素子２２０は、第１金属膜２２２／酸化膜２２４／第２金属膜２２６のサンドイッチ構造を採る。このため、ＴＦＤ素子２２０は、正負双方向のダイオードスイッチング特性を有することになる。
【００５１】
一方、第２の基板３００のうち、第１の基板２００との対向面には、走査線３１２が配列されている。具体的には、走査線３１２は、データ線２１２と直交する行方向に延在し、かつ、画素電極２３４の対向電極となるように配列している。また、カラーフィルタは、図３においては図示を省略しているが、走査線３１２と画素電極２３４とが互いに交差する領域に対応して設けられている。このため、１つの画素に対応する液晶層は、画素電極２３４と、対向電極たる走査線３１２と、これら両基板２００，３００の間に充填された液晶とから構成されることとなる。
【００５２】
そして、第１の基板２００と第２の基板３００とは、基板周辺に沿って塗布されるシール材（図示せず）と、適切に散布されたスペーサ（図示せず）とによって、一定のギャップ（間隙）を保っている。すなわち、第１の基板２００と第２の基板３００とシール剤とスペーサとで、閉空間が形成されている。この閉空間に、例えば、ＴＮ（Twisted Nematic）型，ＳＴＮ（Super Twisted Nematic）型の液晶が封入されている。
【００５３】
以上の液晶パネル１００においては、データ線２１２と走査線３１２とは、その交差部分において、電気的に結合した状態となっている。具体的には、データ線２１２と走査線３１２とは、液晶層とＴＦＤ素子２２０との直列接続を介して、電気的に結合した状態となっている。
【００５４】
＜駆動原理＞
次に、液晶パネル１００の駆動原理について説明する。
【００５５】
走査線３１２に印加される走査信号と、データ線２１２に印加されるデータ信号とによって、ＴＦＤ素子２２０に電圧が印加される。ＴＦＤ素子２２０にしきい値以上の電圧が印加されると、このＴＦＤ素子２２０がオン状態となり、ＴＦＤ素子２２０に接続された液晶層に所定の電荷が蓄積される。そして、電荷蓄積後、ＴＦＤ素子２２０がオフ状態になっても、液晶層の抵抗が十分に高ければ、液晶層における電荷の蓄積が維持される。このようにＴＦＤ素子２２０をオンオフ駆動して、蓄積させる電荷の量を制御すると、画素毎に液晶の配向状態が変化して、所定の情報を表示することが可能となる。この際、各液晶層毎に電荷を蓄積させるのは、一部の期間で良い。このため、各走査線を時分割に選択することにより、データ線２１２および走査線３１２をマルチプレックス駆動が可能となっている。ここで、マルチプレックス駆動とは、複数の画素について共通化した駆動をいう。
【００５６】
（制御回路基板）
次に、制御回路基板６００を説明する。
【００５７】
制御回路基板６００は、図１に示すように、たとえば電源用ＩＣなどの各種の電子部品６２０が実装された配線回路を有する。そして、制御回路基板６００は、フレキシブル配線基板４００の第３の端子群４３０と接合される接続部６１０を有している。
【００５８】
（接続用配線基板）
次に、接続用配線基板であるフレキシブル配線基板（ＦＰＣ基板）４００を説明する。なお、第１の実施の形態においては、フレキシブル配線基板４００は、接続用配線基板の例として示す。図４（ａ）は、図１における、第１の基材を模式的に示す平面図である。図４（ｂ）は、図１における、第２の基材を模式的に示す平面図である。
【００５９】
フレキシブル配線基板４００は、第１の基材４１２（図４（ａ）参照）と第２の基材４１６（図４（ｂ）参照）とを有する。第１の基材４１２と第２の基材４１６とは、配線４１４を挟んで、貼り合わされている（図１参照）。すなわち、フレキシブル配線基板４００は、第１の基材４１２と、配線４１４と、第２の基材４１６との積層構造（３層構造）を有する。この配線４１４は、第１の基材４１２および第２の基材４１６の少なくとも一方に接合される。
【００６０】
第１および第２の基材４１２，４１６は、たとえば可撓性絶縁性フィルムからなる。可撓性絶縁性フィルムの材質としては、たとえば、ポリイミド，ポリエチレンテレフタレート，エポキシ樹脂、ポリエステル、を挙げることができる。配線４１４の材質は、たとえば銅、銅合金（青銅、黄銅、ベリリウム銅など）、アルミニウム、アルミニウム合金、金、銀を挙げることができる。
【００６１】
フレキシブル配線基板４００は、第１の端子群４１０と、第２の端子群４２０と、第３の端子群４３０とを有する。第１の端子群４１０は、第１の基材４１２上に設けられ、第２の基材４１６が存在しないことにより露出した配線４１４から構成されている。第２の端子群４２０は、第２の基材４１６上に設けられ、第１の基材４１２が存在しないことにより露出した配線４１４から構成されている。第３の端子群４３０は、第１の基材４１２が存在しないことにより露出した配線４１４から構成されている。
【００６２】
第１の端子群４１０には、第２の基材４１６が存在していない。第２の端子群４２０には、第１の基材４１２が存在していない。このため、第１の端子群４１０の表面（接続面）と、第２の端子群４２０の表面（接続面）とは、互いに逆側を向いている。その結果、フレキシブル配線基板４００を液晶パネル１００に接続することができる。すなわち、第１の端子群４１０は、第１の接続端子領域２０２に接続され、第２の端子群４２０は、第２の接続端子領域３０２に接続されることができる。
【００６３】
第３の端子群４３０は、制御回路基板６００の接続部（コネクタ）６１０に挿入される。
【００６４】
第１の端子群４１０における各配線４１４の形状は、第１の接続端子領域２０２における各配線の形状と対応している。すなわち、第１の端子群４１０における各配線４１４は、第１の接続端子領域２０２の各配線と略同形状の関係である。
【００６５】
第２の端子群４２０における各配線４１４の形状は、第２の接続端子領域３０２における各配線の形状と対応している。すなわち、第２の端子群４２０の各配線４１４は、第２の接続端子領域３０２の各配線と略同形状の関係である。
【００６６】
第３の端子群４３０における各配線４１４の形状は、制御回路基板６００の接続部６１０の端子における、各配線の形状と対応している。すなわち、第３の端子群４３０の各配線４１４は、制御回路基板６００における接続部６１０の端子の形状と略同形状の関係である。そして、第３の端子群４３０は、第１の端子群４１０の各端子に１対１に導通する端子と、第２の端子群４２０の各端子に１対１に導通する端子とを有する。
【００６７】
以上の第１〜３の端子群４１０，４２０，４３０における各配線４１４は、たとえば、銅箔をパターニングすることによって形成される。
【００６８】
第１の端子群４１０と、第１の接続端子領域２０２との、電気的な接続は、異方性導電接着材５０１により行うことができる。具体的には、その接続は、異方性導電接着材５０１中に適切な割合で分散させた導電性粒子５０１ａを介して行うことができる（図２参照）。第２の端子群４２０と第２の接続端子領域３０２との電気的な接続も、第１の端子群４１０と第１の接続端子領域２０２との電気的な接続と同様にして行うことができる。
【００６９】
第１の基材４１２がポリイミドからなる場合には、たとえば次の方法で、第１の基材４１２を形成することができる。すなわち、ポリイミドの前駆体を、フォトリソグラフィ技術によりパターニングし、イミド化することによって形成することができる。なお、第２の基材４１６がポリイミドからなる場合においても、第１の基材４１２と同様に形成することができる。
【００７０】
［作用効果］
以下、第１の実施の形態に係る液晶表示装置１０は、たとえば次の作用効果を奏することができる。
【００７１】
第１の実施の形態に係る液晶表示装置１０によれば、フレキシブル配線基板４００における第３の端子群４３０は、第１の端子群４１０および第２の端子群４２０に導通している。このため、第３の端子群４３０を、制御回路基板６００の接続部６１０に着脱するだけで、制御回路基板６００と液晶表示パネル１００との接続・開放を図ることができる。このため、液晶パネルの検査や、調整、各種試験などの際に、制御回路基板との接続・開放の工程数を少なくすることができる。
【００７２】
また、このフレキシブル配線基板４００は、配線が１層だけである。このため、構成が簡易となる。また、フレキシブル配線基板４００自体の薄型化、および、配線が２層以上の場合に比べてパターニングの容易性を高めることができる。
【００７３】
［変形例］
上述した実施の形態において、第３の端子群４３０は、第１の基材４１２を除去することによって露出されている。しかし、第３の端子群４３０は、逆に、第２の基材４１６を除去して、第１の基材４１２の下面に形成する構成としてもよい。
【００７４】
｛第２の実施の形態｝
以下、第２の実施の形態に係る接続用配線基板を説明する。第２の実施の形態においては、接続用配線基板として、フレキシブル配線基板（ＦＰＣ基板）が適用された例を説明する。図５は、第２の実施の形態に係るフレキシブル配線基板を模式的に示す、分解平面図である。
【００７５】
フレキシブル配線基板４００は、第１のフレキシブル配線基板４０１と、第２のフレキシブル配線基板４０２とを有する。第１および第２のフレキシブル配線基板４０１，４０２は、それぞれ、可撓性かつ絶縁性の基材の片面上に配線が設けられた、片面フレキシブル配線基板である。第１のフレキシブル配線基板４０１は、第１の基材４１２の表面上に、配線４１４が形成されて構成される。第２のフレキシブル配線基板４０２は、第２の基材４１６の表面上に、配線４１４が形成されて構成される。第１および第２の基材４１２，４１６は、たとえばポリイミドからなる。配線４１４は、たとえば銅からなる。
【００７６】
第１のフレキシブル配線基板４０１は、第１の端子群４１０と、第４の端子群４４０とを有する。第４の端子群４４０の各端子は、第１の端子群４１０の各端子と１対１に導通している。
【００７７】
第２のフレキシブル配線基板４０２は、第２の端子群４２０と、第３の端子群４３０と、第５の端子群４５０とを有する。第３の端子群４３０の、一部の端子は、第２の端子群４２０の各端子と１対１に導通している。また、第３の端子群４３０の、他の一部の端子は、第５の端子群と１対１に導通している。第５の端子群４５０における各配線４１４の形状は、第４の端子群４４０の各配線４１４の形状に対応しており、後述するように、第４の端子群４４０と第５の端子群４５０とは、半田あるいは異方性導電接着剤により電気的、機械的に接続される。これにより、第３の端子群の他の一部の各端子は、第１の端子群の各端子と１対１に電気的に接続される。
【００７８】
第１のフレキシブル配線基板４０１と、第２のフレキシブル配線基板４０２との形状を、第１〜第３の端子群４１０，４２０，４３０以外において、略同形状にすると、次の利点を有する。すなわち、一方のフレキシブル配線基板が、他方のフレキシブル配線基板のカバーレイとなる関係になる。具体的には、一方のフレキシブル配線基板が、他方のフレキシブル配線基板の表面を覆うようになる。このため、配線４１４を保護するための絶縁層を設けなくて済む。
【００７９】
第１のフレキシブル配線基板４０１と第２のフレキシブル配線基板４０２とは、第４の端子群４４０と第５の端子群４５０とが接するように、貼り合わされる。このため、第１の端子群４１０と第３の端子群４３０とは、導通することになる。
【００８０】
第１のフレキシブル配線基板４０１と第２のフレキシブル配線基板４０２との貼り合せは、たとえば次のようにして行うことができる。
【００８１】
第１のフレキシブル配線基板４０１の配線４１４が形成された面と、第２のフレキシブル配線基板４０２の配線４１４が形成された面とを対向させる。ａ点とｂ点で、第１のフレキシブル配線基板４０１と第２のフレキシブル配線基板４０２とを位置合わせする。第４の端子群４４０の各端子と第５の端子群４５０の各端子とを、電気的に接合させる。この接合は、たとえば、半田付け、異方性導電接着剤により行うことができる。
【００８２】
［作用効果］
以上の接続用配線基板（フレキシブル配線基板）４００の構成によれば、第１の実施形態と同様に、液晶パネルの検査、調整、試験における工程数の削減の効果がある。また、フレキシブル配線基板４００は、２枚の片面フレキシブル配線基板４０１，４０２から構成される。したがって、２枚の片面フレキシブル配線基板４０１，４０２を貼り合せることで、フレキシブル配線基板４００を製造することができるので、フレキシブル配線基板４００の製造が容易である。
【００８３】
｛第３の実施の形態｝
以下、第３の実施の形態に係る電気光学装置を説明する。第３の実施の形態に係る電気光学装置は、アクティブマトリクス駆動方式の液晶表示装置に適用された例を示す。図６は、第３の実施の形態に係る電気光学装置を模式的に示す平面図である。図７（ａ）は、図６における、第１の基材を模式的に示す平面図である。図７（ｂ）は、図６における、第２の基材を模式的に示す平面図である。
【００８４】
第３の実施の形態に係る液晶表示装置１０は、液晶表示パネル１００の構成と、接続用配線基板４００の構成との点で、第１の実施の形態と異なる。すなわち、第３の実施の形態に係る液晶表示装置１０は、走査信号を入力する端子群を分割している点で、第１の実施の形態と異なる。
【００８５】
（液晶表示パネル）
以下、液晶表示パネル１００について説明する。
【００８６】
第３の実施の形態に係る液晶表示パネル１００は、次の点で、第１の実施の形態と異なる。第２の基板３００は、その両側（図６において左右両側）において、第１の基板２００より外側に突出した突出部３１０ａ，３１０ｂを有する。すなわち、第２の基板３００は、第１の基板２００より外側に突出した、２つの突出部３１０ａ，３１０ｂを有する。一方（左側）の、第２の基板３００の突出部３１０ａには、第２の接続端子領域３０２が形成されている。他方（右側）の、第２の基板３００の突出部３１０ｂには、第３の接続端子領域３０４が形成されている。
【００８７】
第２の接続端子領域３０２には、第２のベアチップ３５０が形成されている。第３の接続端子領域３０４には、第３のベアチップ３５２が形成されている。
【００８８】
（接続用配線基板）
以下、接続用配線基板４００について説明する。
【００８９】
第３の実施の形態に係る接続用配線基板４００は、さらに第６の端子群４６０を含む点で、第１の実施の形態と異なる。すなわち、第３の実施の形態に係る接続用配線基板４００は、第２の端子群４２０と第６の端子群４６０とで、走査信号を供給する。具体的には、第３の実施の形態に係る接続用配線基板４００は、次の構成を有する。
【００９０】
第６の端子群４６０は、第１の基材４１２が存在しないことにより露出した配線４１４から構成されている。第６の端子群４６０において、第１の基材４１２が存在しないことにより、第６の端子群４６０の表面と第１の端子群４１０の表面とは、互いに逆向きである。このため、第６の端子群４６０は、第３の接続端子領域３０４に電気的に接続されることができる。
【００９１】
第６の端子群４６０における各配線４１４の形状は、第３の接続端子領域３０４における各配線４１４の形状と対応している。すなわち、第６の端子群４６０における各配線４１４は、第３の接続端子領域３０４における各配線４１４と略同形状の関係である。
【００９２】
第６の端子群４６０と、第３の接続端子領域３０４との電気的な接続は、第１の実施の形態で説明した、第１の端子群４１０と第１の接続端子領域２０２との電気的な接続と同様にして行うことができる。
【００９３】
（作用効果）
以上の液晶表示装置１０によれば、第１の実施形態と同様に、液晶パネルの検査、調整、試験における工程数の削減の効果がある。この他に、以上の液晶表示装置１０によれば、たとえば、偶数行の走査信号を第２のベアチップ３５０に供給し、奇数行の走査信号を第３のベアチップ３５２により供給することができる。
【００９４】
（変形例）
第３の実施の形態に係る液晶表示装置１０は、たとえば、次の変形が可能である。
【００９５】
第３の実施の形態に係る液晶表示装置１０は、データ信号を入力する端子群を分割した形態であってもよい。すなわち、第１の端子群４１０の機能を分割して、第６の端子群を得てもよい。具体的には、第３の実施の形態に係る液晶表示装置１０は、次の構成であってもよい。
【００９６】
第１の基板２００の接続端子領域を上下両側に設けて、第１の端子群と第６の端子群とで、それぞれの接続端子領域に設けられたベアチップにデータ信号を供給する形態である。この場合、たとえば、第６の端子群で偶数列のデータ信号をベアチップに供給し、第１の端子群で奇数列のデータ信号をベアチップに供給することができる。
【００９７】
｛第４の実施の形態｝
以下、第４の実施の形態に係る電子機器を説明する。第４の実施の形態に係る電子機器は、本発明に係る電気光学装置が適用された例である。具体的には、本発明に係る電気光学装置として、液晶装置が用いられた、電子機器の例を示す。
【００９８】
（１）プロジェクタ
まず、この液晶装置をライトバルブとして用いたプロジェクタについて説明する。図８は、このプロジェクタの構成例を示す平面図である。
【００９９】
プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離される。３原色に分離された投射光は、各原色に対応する、ライトバルブとしての液晶パネル１１１０Ｒ、１１１０Ｂおよび１１１０Ｇに入射される。以下、液晶パネル１１１０Ｒ、１１１０Ｂおよび１１１０Ｇを、総称して「液晶パネル１１１０」という。
【０１００】
液晶パネル１１１０の各々は、上述した液晶パネルによって構成されている。液晶パネル１１１０の各々には、ベアチップ（図示せず）が実装されるとともに、接続用配線基板（図示せず）が接続されている。そして、接続用配線基板に接続された画像信号処理回路から供給されるＲ、Ｇ、Ｂの原色信号によって、液晶パネル１１１０の各々は駆動される。
【０１０１】
さて、これらの液晶パネル１１００によって変調された光は、ダイクロイックプリズム１１１２内に、３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【０１０２】
なお、液晶パネル１１１０の各々には、ダイクロイックミラー１１０８によって、Ｒ、Ｇ、Ｂの各原色に対応する光が入射する。このため、液晶パネル１１００の基板において、カラーフィルタを設ける必要はない。
【０１０３】
（２）ディジタルスチルカメラ
次に、この液晶表示装置をファインダに用いたディジタルスチルカメラについて説明する。図９は、このディジタルスチルカメラの構成を示す斜視図である。なお、図９において、外部機器との接続についても簡易的に示す。
【０１０４】
通常のカメラは、被写体の光像によってフィルムを感光する。しかし、ディジタルスチルカメラ１２００は、被写体の光像をＣＣＤ（Charge Coupled Device）などの撮像素子により光電変換して撮像信号を生成する。ここで、ディジタルスチルカメラ１２００におけるケース１２０２の背面には、上述した液晶パネル１００が設けられている。液晶パネル１００は、ＣＣＤによる撮像信号に基づいて、表示を行う構成となっている。このため、液晶パネル１００は、被写体を表示するファインダとして機能する。また、ケース１２０２の前面側（図９においては裏面側）には、光学レンズやＣＣＤなどを含んだ受光ユニット１２０４が設けられている。
【０１０５】
ここで、撮影者が液晶パネル１００に表示された被写体像を確認して、シャッタボタン１２０６を押下すると、その時点におけるＣＣＤの撮像信号が、回路基板１２０８のメモリに転送・格納される。また、このディジタルスチルカメラ１２００にあっては、ケース１２０２の側面に、ビデオ信号出力端子１２１２と、データ通信用の入出力端子１２１４とが設けられている。そして、図９に示されるように必要に応じて、前者のビデオ信号出力端子１２１２にはテレビモニタ１３００が接続され、また、後者のデータ通信用の入出力端子１２１４にはパーソナルコンピュータ１４００が接続される。さらに、所定の操作によって、回路基板１２０８のメモリに格納された撮像信号が、テレビモニタ１３００や、パーソナルコンピュータ１４００に出力される構成となっている。
【０１０６】
（３）携帯電話、その他の電子機器
図１０（Ａ）、（Ｂ）、および（Ｃ）は、本発明に係る電気光学装置として液晶表示装置を用いた、他の電子機器の例を示す外観図である。図１０（Ａ）は、携帯電話機３０００であり、その前面上方に液晶表示装置１０００を備えている。図１０（Ｂ）は、腕時計４０００であり、本体の前面中央に液晶表示装置１０００を用いた表示部が設けられている。図１０（Ｃ）は、携帯情報機器５０００であり、液晶表示装置１０００からなる表示部と入力部５１００とを備えている。
【０１０７】
これらの電子機器は、液晶表示装置１０００の他に、図示しないが、たとえば、表示情報出力源と、表示情報処理回路およびクロック発生回路などの様々な回路と、それらの回路に電力を供給する電源回路などからなる表示信号生成部と、を含んで構成される。表示部には、例えば携帯情報機器５０００の場合にあっては入力部５１００から入力された情報等に基づき表示信号生成部によって生成された表示信号が供給されることによって表示画像が形成される。
【０１０８】
本発明に係る液晶表示装置が組み込まれる電子機器としては、ディジタルスチルカメラ、携帯電話機、腕時計、および携帯情報機器に限らず、電子手帳、ページャ、ＰＯＳ端末、ＩＣカード、ミニディスクプレーヤ、液晶プロジェクタ、マルチメディア対応のパーソナルコンピュータ（ＰＣ）およびエンジニアリング・ワークステーション（ＥＷＳ）、ノート型パーソナルコンピュータ、ワードプロセッサ、テレビ、ビューファインダ型またはモニタ直視型のビデオテープレコーダ、電子手帳、電子卓上計算機、カーナビゲーション装置、タッチパネルを備えた装置、時計など様々な電子機器が考えられる。
【０１０９】
｛変形例｝
本発明は、上記の実施の形態に限定されず、本発明の要旨の範囲で種々の変更が可能である。たとえば、本発明は、たとえば次の変更が可能である。
【０１１０】
（１）上記の実施の形態においては、本発明に係る電気光学装置を、アクティブマトリクス駆動方式の液晶表示装置に適用した例を示した。しかし、本発明に係る電気光学装置が適用されるのは、アクティブマトリクス駆動方式の液晶表示装置に限定されず、パッシブマトリクス駆動方式の液晶表示装置であってもよい。
【０１１１】
以下、パッシブマトリクス駆動方式の液晶表示装置を説明する。図１１は、パッシブマトリクス駆動方式の液晶表示装置の全体構成を示す平面図で、パッシブマトリクス駆動方式の液晶パネルに第１の実施形態で説明した接続用配線基板を接続した液晶表示装置である。
【０１１２】
パッシブマトリクス駆動方式の液晶表示装置１０は、スイッチング素子がない点で、アクティブマトリクス駆動方式の液晶表示装置と異なる。その他の点は、アクティブマトリクス駆動方式の液晶表示装置と実質的に同様である。以下、より具体的に、パッシブマトリクス駆動方式の液晶表示装置１０を説明する。第１の実施形態と実質的に同じ構成を示す符号については説明を省略する。
【０１１３】
第１の基板２００の面であって、第２の基板３００と対向する側の面（以下、これを「第１の基板の対向面」という）には、複数のデータ線２１２が平行に配置されている。このデータ線２１２は、表示光に対して透明性を有する導電材料、たとえばＩＴＯ（Indium Tin Oxide）で形成されている。これらのデータ線２１２は、所定の方向（図１１においてＸ方向）に沿って、互いに所定間隔をおいて配置されている。一方、第２の基板３００の面であって、第１の基板２００と対向する側の面（以下、これを「第２の基板の対向面」という）には、複数の走査線３１２が配置されている。これらの走査線３１２は、表示光を反射する導電材料、あるいは、表示光に対して透明なＩＴＯなどの導電材料から形成されている。また、これらの走査線３１２は、所定の方向（図１１においてＹ方向）に沿って、互いに所定間隔をおいて平行に配置されている。すなわち、第１の基板２００に形成された複数のデータ線２１２と、第２の基板３００に形成された複数の走査線３１２とは、互いに液晶層等（図示しない配向膜を含む）を介して直交し、いわゆるＸ−Ｙマトリクスを構成している。
【０１１４】
また、パッシブマトリクス駆動方式の液晶パネルに接続されるフレキシブル配線基板は、第１の実施形態で説明した基板に限らず、第２あるいは第３の実施形態で説明した接続用配線基板を用いてもよい。
【０１１５】
（２）上記の実施の形態においては、ベアチップを、電気光学パネルの各基板に１個ずつ設けた。すなわち、計２個のベアチップを電気光学パネルに設けた。しかし、これに限定されず、ベアチップは、駆動能力、走査線数またはデータ線数に応じて、３個以上を実装してもよい。
【図面の簡単な説明】
【図１】液晶表示装置の全体構成を示す平面図である。
【図２】図１におけるＡ−Ａ線に沿った断面を模式的に示す断面図である。
【図３】液晶パネルの一部を模式的に示す部分破断斜視図である。
【図４】（ａ）は、図１における、第１の基材を模式的に示す平面図である。（ｂ）は、図２における、第２の基材を模式的に示す平面図である。
【図５】第２の実施の形態に係るフレキシブル配線基板を模式的に示す、分解平面図である。
【図６】第３の実施の形態に係る電気光学装置を模式的に示す平面図である。
【図７】（ａ）は、図６における、第１の基材を模式的に示す平面図である。（ｂ）は、図６における、第２の基材を模式的に示す平面図である。
【図８】プロジェクタの構成例を示す平面図である。
【図９】ディジタルスチルカメラの構成を示す斜視図である。
【図１０】（Ａ）は携帯電話機を示す外観図であり、（Ｂ）は腕時計を示す外観図であり、（Ｃ）は携帯情報機器を示す外観図である。
【図１１】パッシブマトリクス駆動方式の液晶表示装置の全体構成を示す平面図である。
【符号の説明】
１０    液晶表示装置
１００  液晶パネル
２００  第１の基板
２０２  第１の接続端子領域
２１０  突出部
２１２  データ線
２２０  ＴＦＤ素子
２３４  画素電極
３００  第２の基板
３０２  第２の接続端子領域
３０４  第３の接続端子領域
３１０，３１０ａ，３１０ｂ  突出部
３１２  走査線
２５０  第１のベアチップ
３５０  第２のベアチップ
３５２  第３のベアチップ
４００  接続用配線基板（フレキシブル配線基板）
４０１  第１のフレキシブル配線基板
４０２  第２のフレキシブル配線基板
４１２  第１の基材
４１４  配線
４１６  第２の基材
４１０  第１の端子群
４２０  第２の端子群
４３０  第３の端子群
４４０  第４の端子群
４５０  第５の端子群
４６０  第６の端子群
５００，５０１  異方性導電接着剤
６００  制御回路基板
６１０  接続部
６２０  電子部品
【図１】
0004078513.tif 000002
【図２】
0004078513.tif 000003
【図３】
0004078513.tif 000004
【図４】
0004078513.tif 000005
【図５】
0004078513.tif 000006
【図６】
0004078513.tif 000007
【図７】
0004078513.tif 000008
【図８】
0004078513.tif 000009
【図９】
0004078513.tif 000010
【図１０】
0004078513.tif 000011
【図１１】
0004078513.tif 000012